(57)【要約】【課題】発注会社の管理基準に則った帳票の事前チェックを請負会社に容易に行わせることができる請負人作業管理システムおよび請負人作業管理方法を提供する。【解決手段】センターチェックシステム１０は、作業管理装置２０から帳票作成開始信号を受信すると、帳票データベース５３から読み出した帳票入力画面データを作業管理装置２０に送信する入力画面送信部１３を備える。作業管理装置２０は、センターチェックシステム１０から受信した帳票入力画面データによって表わされる帳票入力画面を表示装置に表示するとともに、入力装置からの帳票入力内容データをセンターチェックシステム１０に送信する帳票作成部２２と、帳票作成部から帳票作成完了信号および帳票データを受け取ると、管理基準データベース２５から読み出した管理基準データに基づいて、帳票データによって表される帳票の内容の妥当性をチェックする帳票チェック部２３を備える。【選択図】図１
2009098943.tif 000002
【特許請求の範囲】
【請求項１】
発注会社に設けられたセンターチェックシステム（１０）と、
請負会社に設けられた、かつ、前記センターチェックシステムと通信回線（４０）を介して相互接続された作業管理装置（２０；３０）と、
を具備する請負人作業管理システムであって、
前記センターチェックシステムが、前記作業管理装置から帳票作成開始信号を受信すると、帳票データベース（５３）に格納されているかつ帳票と対応付けられた帳票入力画面データを読み出して、該読み出した帳票入力画面データを前記作業管理装置に送信する入力画面送信部（１３）を備え、
前記作業管理装置が、
前記センターチェックシステムから帳票入力画面データを受信すると、該受信した帳票入力画面データによって表わされる帳票入力画面を表示装置に表示するとともに、入力装置から帳票入力内容データを受け取ると、該受け取った帳票入力内容データを前記センターチェックシステムに送信する帳票作成部（２２；３２）と、
該帳票作成部から帳票作成完了信号および帳票データを受け取ると、管理基準データベース（２５：３５）に格納されている管理基準データを読み出して、該読み出した管理基準データに基づいて、前記帳票データによって表される帳票の内容の妥当性をチェックし、帳票の内容が妥当であると判定すると、該帳票データを前記センターチェックシステムに送信する帳票チェック部（２３；３３）とを備える、
ことを特徴とする、請負人作業管理システム。
【請求項２】
前記センターチェックシステムが、前記作業管理装置から帳票入力内容データを受信すると、帳票入力画面データおよび帳票入力内容データに基づいて帳票作成時の形式エラーをチェックして、形式エラーがあった場合には、再入力指示信号を前記作業管理装置に送信する帳票形式チェック部（１４）をさらに備え、
前記作業管理装置の前記帳票作成部が、前記帳票形式チェック部から受信した再入力指示信号に従って、再入力指示を表示装置に表示する、
ことを特徴とする、請求項１記載の請負人作業管理システム。
【請求項３】
前記センターチェックシステムが、帳票作成完了信号および帳票データを前記作業管理装置から受信すると、管理基準データベース（５２）に格納されている管理基準データを読み出すとともに、工事作業データベース（５４）に格納されている工事作業内容データを読み出して、該読み出した管理基準データおよび工事作業内容データに基づいて、作成された帳票の内容の妥当性をチェックする帳票内容チェック部（１５）をさらに備えることを特徴とする、請求項１または２記載の請負人作業管理システム。
【請求項４】
前記センターチェックシステムが、改定された管理基準を表わす管理基準データを管理基準データベース（５２）から読み出して、該読み出した管理基準データを前記作業管理装置に送信する管理基準配信部（１２）をさらに備え、
前記管理基準配信部が、管理基準データを前記センターチェックシステムから受信すると、該受信した管理基準データを管理基準データベース（２６；３６）に格納する管理基準管理部（２１；３１）をさらに備える、
ことを特徴とする、請求項１乃至３いずれかに記載の請負人作業管理システム。
【請求項５】
センターチェックシステム（１０）の入力画面送信部（１３）が、作業管理装置（２０；３０）から帳票作成開始信号を受信すると、帳票データベース（５３）に格納されている帳票入力画面データを読み出して、該読み出した帳票入力画面データを前記作業管理装置に送信し、該作業管理装置の帳票作成部（２２；３２）が、受信した帳票入力画面データによって表わされる帳票入力画面を表示装置に表示する第１のステップ（Ｓ１２）と、
前記作業管理装置の帳票作成部（２２：３２）が、前記表示装置に表示された帳票入力画面の各項目について入力された事項を帳票入力内容データとして前記センターチェックシステムに送信する第２のステップ（Ｓ１３）と、
前記作業管理装置の帳票チェック部（２３；３３）が、帳票作成完了信号および帳票データを前記帳票作成部から受け取ると、管理基準データベース（２５；３５）に格納されている管理基準データを読み出して、該読み出した管理基準データに基づいて、作成された帳票の内容の妥当性をチェックしたのち、チェック結果を表示装置に表示するとともに、作成された帳票の内容が妥当であると判定すると、帳票作成完了信号および帳票データを前記センターチェックシステムに送信する第３のステップ（Ｓ１７）と、
を具備することを特徴とする、請負人作業管理方法。
【請求項６】
前記第２のステップに続いて、前記センターチェックシステムの帳票形式チェック部（１４）が、前記作業管理装置から帳票入力内容データを受信すると、帳票入力画面データおよび帳票入力内容データに基づいて帳票作成時の形式エラーをチェックして、形式エラーがあった場合には、再入力指示信号を前記作業管理装置に送信するステップ（Ｓ１４，Ｓ１５）と、
前記作業管理装置の帳票作成部（２２；３２）が、受信した再入力指示信号に従って、再入力指示を表示装置に表示するステップ（Ｓ１６）と、
をさらに具備することを特徴とする、請求項５記載の請負人作業管理方法。
【請求項７】
前記第３のステップに続いて、前記センターチェックシステムの帳票内容チェック部（１５）が、帳票作成完了信号および帳票データを受信すると、管理基準データベース（５２）に格納されている管理基準データを読み出すとともに、工事作業データベース（５４）に格納されている工事作業内容データを読み出して、該読み出した管理基準データおよび工事作業内容データに基づいて、帳票データによって表わされる帳票の内容の妥当性をチェックしたのち、チェック結果を前記作業管理装置に送信するステップ（Ｓ１８）をさらに具備することを特徴とする、請求項５または６記載の請負人作業管理方法。
【発明の詳細な説明】
【技術分野】
【０００１】
本発明は、請負人作業管理システムおよび請負人作業管理方法に関し、特に、電力会社などで電力設備の工事に関わる請負人による作業の管理を行うのに好適な請負人作業管理システムおよび請負人作業管理方法に関する。
【背景技術】
【０００２】
電力会社などにおいては、電力設備の工事に関わる請負人は多業種にわたりかつ多人数であり、また、非常に危険な区域や非常に高度な技術を要する機器が存在するため、工事前に、図４に一例を示すような帳票（作業予定・実績表）を提出してもらっている。同図に示すように、この帳票には、工事事件名、作業種別、区分、帳票区分、担当課、工事立会者、工事監督者、作業手順、作業内容、工事期間、工事場所、協力会社名（人数）、安全対策（危険のポイントを含む）、申請・届出状況、必要資格・技能、実績および記事が記入される。
【０００３】
また、このような工事は多種多様でありかつ請負人の人数も多いため、工事を発注する電力会社などの担当者が時間をかけて帳票をチェックしていたが、最近では、電力会社などが請負会社の社員情報（資格など）を管理できないように、請負会社にそのチェックを事前に行わせるようになってきている。
【０００４】
なお、下記の特許文献１には、工事に関する情報を活用し、工事や情報開示の効率化を図るために、工事の施工に伴って提出・申請された申請書類の内容が登録された申請書類データベースが予め用意されており、施工工事に関連する検索条件に基づき、申請書類データベースの中から施工工事に関連する申請書類に含まれる抽出状況情報を抽出し、抽出状況情報に対し所定の条件で整列し、整列した抽出状況情報の中から工事内容の調整が必要な工事の指定を受け付けたのち、指定された工事の各関連機関の装置へ工事内容の調整依頼を通知するとともに、調整すべき情報が管理されている調整管理情報を追加更新し、調整依頼により実施された調整の結果を基に調整管理情報を更新する、書類データ連携方法が開示されている。
【特許文献１】特開２００３−２３３６４６号公報
【発明の開示】
【発明が解決しようとする課題】
【０００５】
業務の効率化のために請負会社に工事を一括発注することは仕方ないことであるが、いざ事故などが発生すると、その工事を発注した電力会社などの管理体制やその内容が厳しく問われることになる。また、工事を発注する電力会社などの業務効率を向上させるためにも、電力会社などの管理基準に則った帳票の事前チェックを請負会社に容易に行わせることができる仕組みが求められている。
【０００６】
本発明の目的は、発注会社の管理基準に則った帳票の事前チェックを請負会社に容易に行わせることができる請負人作業管理システムおよび請負人作業管理方法を提供することにある。
【課題を解決するための手段】
【０００７】
本発明の請負人作業管理システム（１）は、発注会社に設けられたセンターチェックシステム（１０）と、請負会社に設けられた、かつ、前記センターチェックシステムと通信回線（４０）を介して相互接続された作業管理装置（２０；３０）とを具備する請負人作業管理システムであって、前記センターチェックシステムが、前記作業管理装置から帳票作成開始信号を受信すると、帳票データベース（５３）に格納されているかつ帳票と対応付けられた帳票入力画面データを読み出して、該読み出した帳票入力画面データを前記作業管理装置に送信する入力画面送信部（１３）を備え、前記作業管理装置が、前記センターチェックシステムから帳票入力画面データを受信すると、該受信した帳票入力画面データによって表わされる帳票入力画面を表示装置に表示するとともに、入力装置から帳票入力内容データを受け取ると、該受け取った帳票入力内容データを前記センターチェックシステムに送信する帳票作成部（２２；３２）と、該帳票作成部から帳票作成完了信号および帳票データを受け取ると、管理基準データベース（２５：３５）に格納されている管理基準データを読み出して、該読み出した管理基準データに基づいて、前記帳票データによって表される帳票の内容の妥当性をチェックし、帳票の内容が妥当であると判定すると、該帳票データを前記センターチェックシステムに送信する帳票チェック部（２３；３３）とを備えることを特徴とする。
ここで、前記センターチェックシステムが、前記作業管理装置から帳票入力内容データを受信すると、帳票入力画面データおよび帳票入力内容データに基づいて帳票作成時の形式エラーをチェックして、形式エラーがあった場合には、再入力指示信号を前記作業管理装置に送信する帳票形式チェック部（１４）をさらに備え、前記作業管理装置の前記帳票作成部が、前記帳票形式チェック部から受信した再入力指示信号に従って、再入力指示を表示装置に表示してもよい。
前記センターチェックシステムが、帳票作成完了信号および帳票データを前記作業管理装置から受信すると、管理基準データベース（５２）に格納されている管理基準データを読み出すとともに、工事作業データベース（５４）に格納されている工事作業内容データを読み出して、該読み出した管理基準データおよび工事作業内容データに基づいて、作成された帳票の内容の妥当性をチェックする帳票内容チェック部（１５）をさらに備えてもよい。
前記センターチェックシステムが、改定された管理基準を表わす管理基準データを管理基準データベース（５２）から読み出して、該読み出した管理基準データを前記作業管理装置に送信する管理基準配信部（１２）をさらに備え、前記管理基準配信部が、管理基準データを前記センターチェックシステムから受信すると、該受信した管理基準データを管理基準データベース（２６；３６）に格納する管理基準管理部（２１；３１）をさらに備えてもよい。
【０００８】
本発明の請負人作業管理方法は、センターチェックシステム（１０）の入力画面送信部（１３）が、作業管理装置（２０；３０）から帳票作成開始信号を受信すると、帳票データベース（５３）に格納されている帳票入力画面データを読み出して、該読み出した帳票入力画面データを前記作業管理装置に送信し、該作業管理装置の帳票作成部（２２；３２）が、受信した帳票入力画面データによって表わされる帳票入力画面を表示装置に表示する第１のステップ（Ｓ１２）と、前記作業管理装置の帳票作成部（２２：３２）が、前記表示装置に表示された帳票入力画面の各項目について入力された事項を帳票入力内容データとして前記センターチェックシステムに送信する第２のステップ（Ｓ１３）と、前記作業管理装置の帳票チェック部（２３；３３）が、帳票作成完了信号および帳票データを前記帳票作成部から受け取ると、管理基準データベース（２５；３５）に格納されている管理基準データを読み出して、該読み出した管理基準データに基づいて、作成された帳票の内容の妥当性をチェックしたのち、チェック結果を表示装置に表示するとともに、作成された帳票の内容が妥当であると判定すると、帳票作成完了信号および帳票データを前記センターチェックシステムに送信する第３のステップ（Ｓ１７）とを具備することを特徴とする。
ここで、前記第２のステップに続いて、前記センターチェックシステムの帳票形式チェック部（１４）が、前記作業管理装置から帳票入力内容データを受信すると、帳票入力画面データおよび帳票入力内容データに基づいて帳票作成時の形式エラーをチェックして、形式エラーがあった場合には、再入力指示信号を前記作業管理装置に送信するステップ（Ｓ１４，Ｓ１５）と、前記作業管理装置の帳票作成部（２２；３２）が、受信した再入力指示信号に従って、再入力指示を表示装置に表示するステップ（Ｓ１６）とをさらに具備してもよい。
前記第３のステップに続いて、前記センターチェックシステムの帳票内容チェック部（１５）が、帳票作成完了信号および帳票データを受信すると、管理基準データベース（５２）に格納されている管理基準データを読み出すとともに、工事作業データベース（５４）に格納されている工事作業内容データを読み出して、該読み出した管理基準データおよび工事作業内容データに基づいて、帳票データによって表わされる帳票の内容の妥当性をチェックしたのち、チェック結果を前記作業管理装置に送信するステップ（Ｓ１８）をさらに具備してもよい。
【発明の効果】
【０００９】
本発明の請負人作業管理システムおよび請負人作業管理方法は、以下の効果を奏する。
（１）センターチェックシステムから作業管理装置に帳票と対応付けられた帳票入力画面データを送信することにより、請負会社の担当者は、表示装置に表示された帳票入力画面に従って必要な事項だけを入力すればよいので、単純な入力ミスや入力漏れを防ぐことができ、また、請負会社に設けられた作業管理装置が、管理基準データベースに格納されている管理基準データに基づいて帳票の内容の妥当性をチェックするので、発注会社の管理基準に則った帳票の事前チェックを請負会社に容易に行わせることができる。
（２）センターチェックシステムが帳票入力画面データおよび帳票入力内容データに基づいて帳票作成時の形式エラーをチェックして、形式エラーがあった場合には再入力指示信号を作業管理装置に送信するので、センターチェックシステムでは、形式エラーのない帳票を最終的にチェックすればよいため、発注会社での帳票チェック作業を効率化することができる。
（３）作業管理装置で帳票の事前チェックを行うので、発注会社で請負会社の社員情報をチェックする必要をなくすことができる。
【発明を実施するための最良の形態】
【００１０】
発注会社の管理基準に則った帳票の事前チェックを請負会社に容易に行わせるという目的を、発注会社に設けられたセンターチェックシステムと通信回線を介して相互接続された作業管理装置を請負会社に設け、センターチェックシステムから作業管理装置に帳票と対応付けられた帳票入力画面データを送信し、作業管理装置において、センターチェックシステムから受信した帳票入力画面データによって表わされる帳票入力画面を表示装置に表示するとともに、管理基準データベースに格納されている管理基準データに基づいて、作成された帳票の内容の妥当性をチェックすることにより実現した。
【実施例１】
【００１１】
以下、本発明の請負人作業管理システムおよび請負人作業管理方法の実施例について、図面を参照して説明する。
本発明の一実施例による請負人作業管理システム１は、図１に示すように、電力会社（発注会社）に設けられたセンターチェックシステム１０と、請負会社Ａおよび請負会社Ｂにそれぞれ設けられた第１および第２の作業管理装置２０，３０とを具備する。なお、センターチェックシステム１０と第１および第２の作業管理装置２０，３０とは通信回線４０を介して相互接続されている。
【００１２】
センターチェックシステム１０は、利用者認証部１１と、管理基準配信部１２と、入力画面送信部１３と、帳票形式チェック部１４と、帳票内容チェック部１５と、送受信部１６とを備えている。
ここで、利用者認証部１１は、第１および第２の作業管理装置２０，３０から送受信部１６を介して請負会社番号などの請負会社識別子（請負会社ＩＤ）が送信されてくると、請負会社識別子に基づいて請負会社データベース（請負会社ＤＢ）５１を検索して、請負会社識別子が示す請負会社を特定することにより、利用者認証処理を行う。
【００１３】
管理基準配信部１２は、工事作業に関する管理基準が改定されて管理基準データベース（管理基準ＤＢ）５２に格納されると、この改定された管理基準を表わす管理基準データを管理基準データベース５２から読み出して、読み出した管理基準データを送受信部１６に通信回線４０を介して第１および第２の作業管理装置２０，３０に送信させる。これにより、請負会社Ａ，Ｂにそれぞれ設けられた第１および第２の作業管理装置２０，３０は、最新の管理基準に則って帳票の事前チェックを行うことができる。
【００１４】
入力画面送信部１３は、第１または第２の作業管理装置２０，３０から送受信部１６を介して帳票作成開始信号を受信しかつ利用者認証部１１から利用者認証完了報告を受け取ると、帳票データベース（帳票ＤＢ）５３に格納されているかつ帳票と対応付けられた帳票入力画面データを読み出して、読み出した帳票入力画面データを送受信部１６に通信回線４０を介して第１または第２の作業管理装置２０，３０に送信させる。図２に、図４に示した帳票と対応付けられた帳票入力画面データによって表わされる帳票入力画面の一例を示す。
【００１５】
帳票形式チェック部１４は、「帳票入力画面データを送信した」旨の通知および送信した帳票入力画面データを入力画面送信部１３から受け取ったのちに第１または第２の作業管理装置２０，３０から送受信部１６を介して帳票入力内容データ（図２に示した帳票入力画面の各項目について入力された内容を示すデータ）を受信すると、帳票入力画面データおよび帳票入力内容データに基づいて帳票作成時の形式エラーをチェックして、形式エラーがあった場合には、再入力指示信号を送受信部１６に通信回線４０を介して第１または第２の作業管理装置２０，３０に送信させる。これにより、作成される帳票の形式エラーを事前になくすことができる。
【００１６】
帳票内容チェック部１５は、帳票作成完了信号および作成された帳票の内容を表す帳票データを第１または第２の作業管理装置２０，３０から送受信部１６を介して受信すると、管理基準データベース５２に格納されている管理基準データを読み出すとともに、工事作業データベース（工事作業ＤＢ）５４に格納されている工事作業内容データ（工事名称、工事期間、工事範囲などのデータ）を読み出して、読み出した管理基準データおよび工事作業内容データに基づいて、作成された帳票の内容の妥当性をチェックしたのち、チェック結果を送受信部１６に通信回線４０を介して第１または第２の作業管理装置２０，３０に送信させる。
【００１７】
送受信部１６は、センターチェックシステム１０と第１および第２の作業管理装置２０，３０との間における通信回線４０を介した各種の信号およびデータなどの送受信を行う。
【００１８】
請負会社Ａに設けられた第１の作業管理装置２０は、管理基準管理部２１と、帳票作成部２２と、帳票チェック部２３と、送受信部２４とを備える。
ここで、管理基準管理部２１は、改定された管理基準データをセンターチェックシステム１０から送受信部２４を介して受信すると、受信した管理基準データを管理基準データベース（管理基準ＤＢ）２６に格納する。
【００１９】
帳票作成部２２は、キーボードやマウスなどの入力装置（不図示）から帳票作成開始信号を受け取ると、受け取った帳票作成開始信号を送受信部２４に通信回線４０を介してセンターチェックシステム１０に送信させる。
帳票作成部２２は、センターチェックシステム１０から送受信部２４を介して帳票入力画面データを受信すると、受信した帳票入力画面データによって表わされる帳票入力画面（図２参照）を表示装置（不図示）に表示する。
【００２０】
帳票作成部２２は、表示装置に表示された帳票入力画面に従って入力すべき工事管理者、協力会社名および必要資格・技能の入力作業を軽減させるために、社員データベース（社員ＤＢ）２６および下請会社データベース（下請会社ＤＢ）２７にそれぞれ格納されている社員情報データおよび下請会社データを読み出して、読み出した社員情報データおよび下請会社データを表示装置に表示することにより、適当な工事管理者、協力会社名および必要資格・技能が容易に入力できるようにされている。
【００２１】
ここで、社員情報データは、たとえば、表１に示すような社員テーブルの形で社員データベース２６に格納されている。
【表１】
2009098943.tif 000003
【００２２】
なお、役職コードは、たとえば、表２に示すように定義されている。
【表２】
2009098943.tif 000004
【００２３】
また、保有資格コードは、たとえば、資格毎の保有する種を示す数字を並べた数列として定義されている。たとえば、保有資格コード“２００００・・”は、電気主任技術者第２種を保有し、電気工事士、火気取扱責任者、高所作業責任者およびガス取扱責任者の資格は保有していないことを示す。
【００２４】
帳票作成部２２は、入力装置から入力される帳票入力内容データを受信すると、受信した帳票入力内容データを送受信部２４に通信回線４０を介してセンターチェックシステム１０に送信させるとともに、再入力指示信号をセンターチェックシステム１０から送受信部２４を介して受信すると、受信した再入力指示信号に従って、再入力指示を表示装置に表示する。
【００２５】
帳票チェック部２３は、帳票作成完了信号および帳票データを帳票作成部２２から受け取ると、管理基準データベース２５に格納されている管理基準データを読み出して、読み出した管理基準データに基づいて、作成された帳票の内容の妥当性をチェックしたのち、チェック結果を表示装置に表示する。これにより、作成された帳票の事前チェックを請負会社に行わせることができる。
また、帳票チェック部２３は、作成された帳票の内容が妥当であると判定すると、帳票データを送受信部２４に通信回線４０を介してセンターチェックシステム１０に送信させる。
【００２６】
送受信部２４は、第１の作業管理装置２０とセンターチェックシステム１０との間における通信回線４０を介した各種のデータや信号などの送受信を行う。
【００２７】
請負会社Ｂに設けられた第２の作業管理装置３０は、管理基準管理部３１と、帳票作成部３２と、帳票チェック部３３と、送受信部３４とを備える。管理基準管理部３１、帳票作成部３２、帳票チェック部３３および送受信部３４は、上述した第１の作業管理装置２０の管理基準管理部２１、帳票作成部２２、帳票チェック部２３および送受信部２４と同様に構成されている。
【００２８】
次に、本実施例による請負人作業管理システム１の動作（本発明の一実施例による請負人作業管理方法）について、第１の作業管理装置２０において帳票を作成する場合を例として、図３に示すフローチャートを参照して説明する。
【００２９】
請負会社Ａの担当者が入力装置を用いて帳票作成開始信号を第１の作業管理装置２０に入力すると、帳票作成部２２は、請負会社Ａの請負会社識別子と帳票作成開始信号とを送受信部２４に通信回線４０を介してセンターチェックシステム１０に送信させる。
センターチェックシステム１０の利用者認証部１１は、第１の作業管理装置２０から送受信部１６を介して請負会社識別子が送信されてくると、請負会社識別子に基づいて請負会社データベース５１を検索して利用者認証処理を行う（以上、ステップＳ１１）。
【００３０】
センターチェックシステム１０の入力画面送信部１３は、送受信部１６を介して帳票作成開始信号を受信しかつ利用者認証部１１から利用者認証完了報告を受け取ると、帳票データベース５３に格納されている帳票入力画面データを読み出して、読み出した帳票入力画面データを送受信部１６に通信回線４０を介して第１の作業管理装置２０に送信させる。
第１の作業管理装置２０の帳票作成部２２は、送受信部２４を介して帳票入力画面データを受信すると、受信した帳票入力画面データによって表わされる帳票入力画面（図２参照）を表示装置に表示する（以上、ステップＳ１２）。
【００３１】
請負会社Ａの担当者は、表示装置に表示された帳票入力画面の各項目について必要な事項を入力していく。この入力された事項は、帳票入力内容データとして帳票作成部２２によってセンターチェックシステム１０に送信される（ステップＳ１３）。
このとき、帳票作成部２２は、工事管理者、協力会社名および必要資格・技能が入力される際には、社員データベース２６および下請会社データベース２７にそれぞれ格納されている社員情報データおよび下請会社データを読み出して、読み出した社員情報データおよび下請会社データを表示装置に表示する。
【００３２】
センターチェックシステム１０の帳票形式チェック部１４は、「帳票入力画面データを送信した」旨の通知および送信した帳票入力画面データを入力画面送信部１３から受け取ったのちに第１の作業管理装置２０から送受信部１６を介して帳票入力内容データを受信すると、帳票入力画面データおよび帳票入力内容データに基づいて帳票作成時の形式エラーをチェックし（ステップＳ１４）、形式エラーがあった場合には、再入力指示信号を送受信部１６に通信回線４０を介して第１の作業管理装置２０に送信させる（ステップＳ１５）。
【００３３】
第１の作業管理装置２０の帳票作成部２２は、受信した再入力指示信号に従って、再入力指示を表示装置に表示する（ステップＳ１６）。請負会社Ａの担当者は、表示装置に表示された再入力指示に従って、再入力が指示された項目について必要な事項を再入力する。
【００３４】
その後、第１の作業管理装置２０の帳票チェック部２３は、帳票作成完了信号および帳票データを帳票作成部２２から受け取ると、管理基準データベース２５に格納されている管理基準データを読み出して、読み出した管理基準データに基づいて、作成された帳票の内容の妥当性をチェックしたのち、チェック結果を表示装置に表示する。
また、帳票チェック部２３は、作成された帳票の内容が妥当であると判定すると、帳票作成完了信号および帳票データを送受信部２４に通信回線４０を介してセンターチェックシステム１０に送信させる（以上、ステップＳ１７）。
【００３５】
センターチェックシステム１０の帳票内容チェック部１５は、帳票作成完了信号および帳票データを送受信部１６を介して受信すると、管理基準データベース５２に格納されている管理基準データを読み出すとともに、工事作業データベース５４に格納されている工事作業内容データを読み出して、読み出した管理基準データおよび工事作業内容データに基づいて、帳票データによって表わされる帳票の内容の妥当性をチェックしたのち、チェック結果を送受信部１６に通信回線４０を介して第１の作業管理装置２０に送信させる（ステップＳ１８）。
【産業上の利用可能性】
【００３６】
以上説明したように、本発明の請負人作業管理システムおよび請負人作業管理方法は、電力会社などで電力設備の工事に関わる請負人による作業の管理を行うのに利用することができる。
【図面の簡単な説明】
【００３７】
【図１】本発明の一実施例による請負人作業管理システムの構成を示す図である。（実施例１）
【図２】表示装置に表示される帳票入力画面の一例を示す図である。（実施例１）
【図３】図１に示した請負人作業管理システム１の動作を説明するためのフローチャートである。（実施例１）
【図４】帳票の一例を示す図である。
【符号の説明】
【００３８】
１  請負人作業管理システム
１０  センターチェックシステム
１１  利用者認証部
１２  管理基準配信部
１３  入力画面送信部
１４  帳票形式チェック部
１５  帳票内容チェック部
１６  送受信部
２０，３０  作業管理装置
２５，３５  管理基準データベース
２６，３６  社員データベース
２７，３７  下請け会社データベース
４０  通信回線
５１  請負会社データベース
５２  管理基準データベース
５３  帳票データベース
５４  工事作業データベース
Ｓ１１〜Ｓ１８  ステップ
【図１】
2009098943.tif 000005
【図２】
2009098943.tif 000006
【図３】
2009098943.tif 000007
【図４】
2009098943.tif 000008